(57)【特許請求の範囲】
【請求項１】
エレベータの戸の開閉を制御する制御部と、前記エレベータのかご内に設置され、前記戸の戸閉信号を前記制御部に送信する戸閉指示部を有するかご操作部と、を備えたエレベータの戸開閉制御システムにおいて、
前記制御部は、前記戸の戸閉動作中に時間を計測する時間計測部と、前記時間計測部の計測開始から所定時間の間における戸閉信号の受信回数を計数する戸閉計数部と、前記戸閉計数部の計数結果に基づいて前記戸の開閉の判断をする戸開閉判断部と、を備え、且つ前記戸閉計数部の計数結果が所定回数以下のときは、前記戸開閉判断部が戸開と判断し、前記戸を戸開制御し、前記戸閉計数部の計数結果が所定回数よりも多いときは、前記戸開閉判断部が戸閉と判断し、戸閉動作を継続することを特徴とするエレベータの戸開閉制御システム。
【請求項２】
エレベータの乗場に設置され、前記乗場に前記エレベータのかごを移動させる乗場呼信号を前記制御部に送信する乗場呼部を備え、
前記かご操作部は、登録された行先階の行先階信号を前記制御部に送信する行先階登録部を有し、
前記制御部は、乗場呼信号と行先階信号との受信組み合わせと前記エレベータに対する乗降時間の長短とを関連付けた情報を予め記憶する記憶部と、前記乗場呼部又は前記行先階登録部が操作されることで受信した乗場呼信号又は行先階信号のうち、前記エレベータのかごが所定階に停止するために応答した乗場呼信号と行先階信号の一方又は両方と前記記憶部に予め記憶された情報とに基づいて、乗降時間が長時間であるか短時間であるかを判定する乗降時間判定部と、を有し、前記乗降時間判定部によって前記乗降時間が長時間であると判定された場合、前記エレベータのかごが所定階に停止したときに、前記戸閉計数部の計数結果が所定回数以下のときは、前記戸開閉判断部が戸開と判断し、前記戸を戸開制御し、前記戸閉計数部の計数結果が所定回数よりも多いときは、前記戸開閉判断部が戸閉と判断し、戸閉動作を継続し、前記乗降時間判定部によって前記乗降時間が短時間であると判定された場合、前記エレベータのかごが所定階に停止したときに、前記戸閉計数部の計数結果が１回以上のときは、前記戸開閉判断部が戸閉と判断し、戸閉動作を継続する、請求項１に記載のエレベータの戸開閉制御システム。
【請求項３】
前記かご操作部は、特定利用者用に設置された特定利用者用の行先階登録部であって、登録すべき行先階に関する特定行先階信号を前記制御部に送信する特定利用者用の行先階登録部を有し、
前記乗場呼部は、特定利用者用に設置された特定利用者用の乗場呼部であって、前記乗場にエレベータのかごを移動させる特定乗場呼信号を前記制御部に送信する特定利用者用の乗場呼部を有し、
前記乗降時間判定部は、前記特定行先階信号又は前記特定乗場呼信号の少なくとも一方を受信し、前記エレベータのかごが該受信した信号に応答して所定階に停止したときに、前記乗降時間が長時間であると判定する、請求項２に記載のエレベータの戸開閉制御システム。
【請求項４】
前記かご操作部は、一般利用者用に設置された一般利用者用の行先階登録部であって、登録すべき行先階に関する一般行先階信号を前記制御部に送信する一般利用者用の行先階登録部を有し、
前記乗場呼部は、一般利用者用に設置された一般利用者用の乗場呼部であって、前記乗場にエレベータのかごを移動させる一般乗場呼信号を前記制御部に送信する一般利用者用の乗場呼部を有し、
前記乗降時間判定部は、前記一般行先階信号及び前記一般乗場呼信号の両方を受信し、前記エレベータのかごが前記受信した両方の信号に応答して所定階に停止したときに、前記乗降時間が長時間であると判定し、前記一般行先階信号又は前記一般乗場呼信号の一方を受信し、前記エレベータのかごが前記受信した一方の信号に応答して所定階に停止したときに、前記乗降時間が短時間であると判定する、請求項２又は請求項３に記載のエレベータの戸開閉制御システム。
【請求項５】
前記時間の計測は、前記戸の戸閉動作中で時間計測していない状態で受信した戸閉信号の受信時から開始され、前記戸閉計数部は、前記時間計測していない状態で受信した戸閉信号を含めて前記所定時間の間における戸閉信号の受信回数を計数する、請求項１乃至請求項４の何れか１項に記載のエレベータの戸開閉制御システム。
【請求項６】
前記所定時間は数秒以内である、請求項１乃至請求項５の何れか１項に記載のエレベータの戸開閉制御システム。
【請求項７】
前記所定回数は１回である、請求項１乃至請求項６の何れか１項に記載のエレベータの戸開閉制御システム。
【発明の詳細な説明】
【技術分野】
【０００１】
本発明は、エレベータの戸の開閉を制御するためのエレベータの戸開閉制御システムに関する。
【背景技術】
【０００２】
従来から、エレベータに乗降する利用者が戸に挟まれないように、戸閉動作中の戸を開けるために戸開ボタンを押そうとして、誤って戸閉ボタンを押してしまうということが度々発生している。
【０００３】
そこで、エレベータの戸の戸閉動作中に戸を開けようとして誤って戸閉ボタンが押された場合でも、エレベータの戸の戸開動作を開始するものや、戸閉動作を一時的に停止させるものが提案されている（例えば、特許文献１及び２参照）。
【０００４】
特許文献１に記載のエレベータの運転装置は、エレベータの戸の戸閉動作中に戸閉ボタンが押された場合、常に戸開動作を行うように構成されている。
【０００５】
また、特許文献２に記載のエレベータの戸開閉制御方法は、エレベータの戸の戸閉動作中にかご内戸操作ボタンが押された場合、戸閉動作を停止するように構成されている。
【先行技術文献】
【特許文献】
【０００６】
【特許文献１】特開２００６−２０６２５７号公報
【特許文献２】特開２０１４−９０４７号公報
【発明の概要】
【発明が解決しようとする課題】
【０００７】
しかしながら、特許文献１のエレベータの運転装置では、利用者がエレベータの戸を早く閉めようとして戸閉ボタンを連続して押したにもかかわらず、エレベータの戸は戸開してしまう。特許文献２のエレベータの戸開閉制御方法では、利用者がエレベータの戸を開けるために戸開ボタンを押したにもかかわらず、エレベータの戸は停止してしまう。また、利用者がエレベータの戸を早く閉めようとして戸閉ボタンを連続して押したにもかかわらず、エレベータの戸は停止と戸閉を繰り返してしまう。このように、特許文献１のエレベータの運転装置や特許文献２のエレベータの戸開閉制御方法に例示される従来のエレベータの戸開閉制御システムでは、エレベータの戸が利用者の思い通りに動作しないという問題が発生する。
【０００８】
そこで、本発明は、かかる実情に鑑み、利用者がエレベータの戸の戸閉動作中に戸閉操作を行った場合に、エレベータの戸に対して利用者の思い通りの開閉動作をさせることができるエレベータの戸開閉制御システムを提供することを課題とする。
【０００９】
より具体的には、エレベータの戸の戸閉動作中に戸を開けるために戸開ボタンを押そうとして、誤って戸閉ボタンが押された時には戸開動作し、戸を早く閉めようとして戸閉ボタンが連続して押された時には戸閉動作が継続されるものである。
【課題を解決するための手段】
【００１０】
本発明に係るエレベータの戸開閉制御システムは、エレベータの戸の開閉を制御する制御部と、前記エレベータのかご内に設置され、前記戸の戸閉信号を前記制御部に送信する戸閉指示部を有するかご操作部と、を備えたエレベータの戸開閉制御システムにおいて、前記制御部は、前記戸の戸閉動作中に時間を計測する時間計測部と、前記時間計測部の計測開始から所定時間の間における戸閉信号の受信回数を計数する戸閉計数部と、前記戸閉計数部の計数結果に基づいて前記戸の開閉の判断をする戸開閉判断部と、を備え、且つ前記戸閉計数部の計数結果が所定回数以下のときは、前記戸開閉判断部が戸開と判断し、前記戸を戸開制御し、前記戸閉計数部の計数結果が所定回数よりも多いときは、前記戸開閉判断部が戸閉と判断し、戸閉動作を継続することを特徴とする。
【００１１】
かかる構成によれば、時間計測部は、エレベータの戸の戸閉動作中に時間を計測し、戸閉計数部は、時間計測部の計測開始から所定時間の間に受信した戸閉信号の回数を計数する。そして、戸開閉判断部は、計数結果に基づいてエレベータの戸の開閉を判断し、その判断結果に基づいて制御部が戸の開閉を制御する。具体的には、戸閉動作中の所定時間の間における戸閉信号の受信回数が所定回数以下のときには、戸開閉判断部が戸開と判断すると、制御部が戸を戸開制御する。これに対して、戸閉動作中における戸閉信号の受信回数が所定回数よりも多いときには、戸開閉判断部が戸閉と判断すると、制御部が戸閉動作を継続する。
【００１２】
従って、エレベータの利用者が、戸閉動作中の所定時間の間に戸開操作と誤って戸閉操作を行った回数が所定回数以下の場合には、戸閉動作を戸開動作に切り替えることができ、また、早く戸閉させようとして戸閉操作を行った回数が所定回数より多い場合には、戸閉動作を継続することができる。
【００１３】
本発明の一態様として、エレベータの乗場に設置され、前記乗場に前記エレベータのかごを移動させる乗場呼信号を前記制御部に送信する乗場呼部を備え、前記かご操作部は、登録された行先階の行先階信号を前記制御部に送信する行先階登録部を有し、前記制御部は、乗場呼信号と行先階信号との受信組み合わせと前記エレベータに対する乗降時間の長短とを関連付けた情報を予め記憶する記憶部と、前記乗場呼部又は前記行先階登録部が操作されることで受信した乗場呼信号又は行先階信号のうち、前記エレベータのかごが所定階に停止するために応答した乗場呼信号と行先階信号の一方又は両方と前記記憶部に予め記憶された情報とに基づいて、乗降時間が長時間であるか短時間であるかを判定する乗降時間判定部と、を有し、前記乗降時間判定部によって前記乗降時間が長時間であると判定された場合、前記エレベータのかごが所定階に停止したときに、前記戸閉計数部の計数結果が所定回数以下のときは、前記戸開閉判断部が戸開と判断し、前記戸を戸開制御し、前記戸閉計数部の計数結果が所定回数よりも多いときは、前記戸開閉判断部が戸閉と判断し、戸閉動作を継続し、前記乗降時間判定部によって前記乗降時間が短時間であると判定された場合、前記エレベータのかごが所定階に停止したときに、前記戸閉計数部の計数結果が１回以上のときは、前記戸開閉判断部が戸閉と判断し、戸閉動作を継続してもよい。
【００１４】
乗降時間を長時間要する場合には、エレベータの戸を長時間開放する必要があることから、戸閉動作が開始されたときに戸開に切り替えることも必要となり、誤操作が起こり得る。一方、乗降時間が短時間でよい場合には、戸の開放を延長させる必要もないため、誤操作が起こり難い。そこで、上記エレベータの戸開閉制御システムによれば、乗降時間が長時間であると判定された場合には、戸閉信号の受信回数に応じて戸の開閉が制御され、乗降時間が短時間であると判定された場合には、戸閉信号の受信回数によらず、戸閉動作が継続されるため、乗降時間が長時間となる場合と短時間となる場合とで、エレベータの戸に対して異なった開閉制御を行うことができ、利用者のエレベータに対する乗降状況に応じて、エレベータの戸の開閉制御を行うことができる。
【００１５】
本発明の他態様として、前記かご操作部は、特定利用者用に設置された特定利用者用の行先階登録部であって、登録すべき行先階に関する特定行先階信号を前記制御部に送信する特定利用者用の行先階登録部を有し、前記乗場呼部は、特定利用者用に設置された特定利用者用の乗場呼部であって、前記乗場にエレベータのかごを移動させる特定乗場呼信号を前記制御部に送信する特定利用者用の乗場呼部を有し、前記乗降時間判定部は、前記特定行先階信号又は前記特定乗場呼信号の少なくとも一方を受信し、前記エレベータのかごが該受信した信号に応答して所定階に停止したときに、前記乗降時間が長時間であると判定してもよい。
【００１６】
このようにすれば、特定利用者がエレベータを利用する場合に、エレベータの戸の戸閉動作中の戸閉信号の受信回数に応じて戸の開閉が制御される。そのため、かかる構成のエレベータの戸開閉制御システムは、乗降に時間を要するケースで戸閉動作中に誤操作があっても、エレベータの戸の戸開動作を開始させることができる。
【００１７】
本発明の別の態様として、前記かご操作部は、一般利用者用に設置された一般利用者用の行先階登録部であって、登録すべき行先階に関する一般行先階信号を前記制御部に送信する一般利用者用の行先階登録部を有し、前記乗場呼部は、一般利用者用に設置された一般利用者用の乗場呼部であって、前記乗場にエレベータのかごを移動させる一般乗場呼信号を前記制御部に送信する一般利用者用の乗場呼部を有し、前記乗降時間判定部は、前記一般行先階信号及び前記一般乗場呼信号の両方を受信し、前記エレベータのかごが前記受信した両方の信号に応答して所定階に停止したときに、前記乗降時間が長時間であると判定し、前記一般行先階信号又は前記一般乗場呼信号の一方を受信し、前記エレベータのかごが前記受信した一方の信号に応答して所定階に停止したときに、前記乗降時間が短時間であると判定してもよい。
【００１８】
このようにすれば、所定階で、エレベータから降りる一般利用者と乗場からエレベータに乗る一般利用者とが存在する場合に、乗降時間が長時間となるとして、エレベータの戸の戸閉動作中の戸閉信号の受信回数に応じて戸の開閉が制御される。また、所定階で、エレベータから降りる一般利用者のみ、又は乗場からエレベータに乗る一般利用者のみ存在する場合には、乗降時間が短時間であるとして、戸閉信号の受信回数によらず、戸閉動作が継続される。そのため、かかる構成のエレベータの戸開閉制御システムは、一般利用者がエレベータを利用する場合に、乗降に時間を要するケースと要さないケースとを区別してエレベータの戸の開閉を制御することができる。
【００１９】
本発明の別の態様として、前記時間の計測は、前記戸の戸閉動作中で時間計測していない状態で受信した戸閉信号の受信時から開始され、前記戸閉計数部は、前記時間計測していない状態で受信した戸閉信号を含めて前記所定時間の間における戸閉信号の受信回数を計数してもよい。
【００２０】
かかる構成によれば、戸閉動作中における最初の戸閉信号の受信時から、所定時間内における戸閉信号の受信回数に応じて、戸開又は戸閉の判断を行うことができるだけでなく、戸閉完了までに、戸閉動作中で時間計測していない状態で受信した戸閉信号（最初の戸閉信号以外の戸閉信号）によっても、所定時間内における戸閉信号の受信回数に応じて、戸開又は戸閉の判断を行うことができる。また、戸閉計数部は、戸閉動作中における所定時間の間だけ戸閉信号を計数すればよいものとなっている。
【００２１】
また、かかる構成によれば、戸閉信号の受信開始と同時に時間の計測が開始されるため、制御を簡単にすることができる。
【００２２】
本発明の別の態様として、前記所定時間は数秒以内であってもよい。このようにすれば、エレベータの戸が戸開状態から戸閉状態となるまでの限られた時間の間に、戸閉動作中の戸閉信号の受信回数に応じてエレベータの戸の開閉が制御される。
【００２３】
本発明の更に別の態様として、前記所定回数は１回であってもよい。かかる構成によれば、戸閉動作中における所定時間の間に戸閉信号が１回である場合には、エレベータの戸の戸開動作が開始され、複数回である場合には、エレベータの戸の戸閉動作が継続される。通常、利用者は、戸閉動作中に戸を開けようとして戸開操作を一度行うことから、誤って戸閉操作を行った場合でも、戸閉指示部から制御部に対して戸閉信号が１回送信されると考えられる。そのため、かかる構成によれば、利用者のより現実的な行動に即して、エレベータの戸の開閉が制御されることとなる。
【発明の効果】
【００２４】
以上のように、本発明によれば、利用者がエレベータの戸の戸閉動作中に戸閉操作を行った場合に、エレベータの戸に対して利用者の思い通りの開閉動作をさせることができるエレベータの戸開閉制御システムを提供することができる。
【図面の簡単な説明】
【００２５】
【図１】図１は、本発明の一実施形態に係るエレベータの戸開閉制御システムのシステム構成図である。
【図２】図２は、本発明の一実施形態に係るフローにおける、開始部分のフローを表すフロー図である。
【図３】図３は、同実施形態に係るフローにおける特別処理を表すフロー図である。
【図４】図４は、同実施形態に係るフローにおける一般処理を表すフロー図である。
【図５】図５は、同実施形態に係る乗場呼信号と行先階信号の受信組み合わせと、乗降時間の長短とを関連付けた情報であるテーブルを示す表である。
【図６】図６は、本発明の他実施形態に係る戸開閉制御システムのシステム構成図のうちのかご制御部の構成を説明するための図である。
【図７】図７は、同実施形態に係るフローにおける特別処理を表すフロー図である。
【発明を実施するための形態】
【００２６】
以下、本発明の一実施形態に係るエレベータの戸開閉制御システム（以下、単に「制御システム」という）について、図面を参照しつつ説明する。
【００２７】
図１に示すように、本実施形態に係る制御システム１は、前記エレベータのかご内に設置され、エレベータの戸の開閉に対する指示と行先階とを登録するかご操作部２と、エレベータの乗場に設置され、エレベータのかごを所定の階の乗場に移動させるための乗場呼部６と、エレベータの戸の開閉を制御する制御部３と、を備える。
【００２８】
かご操作部２は、エレベータの戸の戸閉信号を制御部３に送信する戸閉指示部２１と、エレベータの戸の戸開信号を制御部３に送信する戸開指示部２２と、登録された行先階の行先階信号を制御部３に送信する行先階登録部２３とを有する。本実施形態では、かご操作部２は、特定利用者用のかご操作部２Ａと一般利用者用のかご操作部２Ｂとを備え、各かご操作部２Ａ，２Ｂが、戸閉指示部２１、戸開指示部２２、及び行先階登録部２３を備える。よって、本実施形態では、戸閉指示部２１は、特定利用者用の戸閉指示部２１Ａと、一般利用者用の戸閉指示部２１Ｂとから構成されている。また、戸開指示部２２は、特定利用者用の戸開指示部２２Ａと、一般利用者用の戸開指示部２２Ｂとから構成されている。行先階登録部２３は、特定利用者が行先階を登録するための特定利用者用の行先階登録部２３Ａと、一般利用者が行先階を登録するための一般利用者用の行先階登録部２３Ｂとから構成されている。
【００２９】
本実施形態では、エレベータの特定利用者として、例えば、車椅子利用者、高齢者、身障者、怪我人、妊婦等の通常優先される利用者を対象としている。
【００３０】
本実施形態のかご操作部２は、エレベータのかごの内壁に設けられている。かご操作部２は、ボタン式の入力構造である。戸閉指示部２１及び戸開指示部２２は、単一ボタン、行先階登録部２３は、建物の階数に応じたボタン群である。
【００３１】
特定利用者用のかご操作部２Ａは、戸閉指示部２１Ａと、戸開指示部２２Ａと、行先階登録部２３Ａとを有する。また、一般利用者用のかご操作部２Ｂは、戸閉指示部２１Ｂと、戸開指示部２２Ｂと、行先階登録部２３Ｂとを有する。特定利用者用のかご操作部２Ａ及び一般利用者用のかご操作部２Ｂは、エレベータのかご内において別々の位置に設けられている。本実施形態では、特定利用者用のかご操作部２Ａ及び一般利用者用のかご操作部２Ｂのそれぞれは、エレベータのかごの側壁に少なくとも一つ設けられている。本実施形態では、特定利用者用のかご操作部２Ａは、かごの内壁における比較的低い位置に設けられている。
【００３２】
特定利用者用のかご操作部２Ａ及び一般利用者用のかご操作部２Ｂは、戸閉指示、戸開指示、又は行先階が登録されると信号を送信するように構成されている。具体的には、戸閉指示部２１Ａ，２１Ｂは、該戸閉指示部２１Ａ，２１Ｂのボタンが操作されて戸閉指示が登録されると、戸閉信号を送信するように構成されている。また、戸開指示部２２Ａ，２２Ｂは、該戸開指示部２２Ａ，２２Ｂのボタンが操作されて戸開指示が登録されると、戸開信号を送信するように構成されている。行先階登録部２３Ａ，２３Ｂは、該行先階登録部２３Ａ，２３Ｂのボタン群が操作されて行先階が登録されると、行先階信号を送信するように構成されている。本実施形態では、一般利用者用の行先階登録部２３Ｂが送信する信号を一般行先階信号とし、特定利用者用の行先階登録部２３Ａが送信する信号を特定行先階信号とする。戸閉指示部２１Ａ，２１Ｂ、戸開指示部２２Ａ，２２Ｂ、及び行先階登録部２３Ａ，２３Ｂのそれぞれは、ボタンが押下されると制御部３に対して信号を送信する。
【００３３】
乗場呼部６は、エレベータの乗場に設置され、該乗場にエレベータのかごを移動させる乗場呼信号を制御部３に送信する。本実施形態では、乗場呼部６は、特定利用者用に設置された特定利用者用の乗場呼部６１と、一般利用者用に設置された一般利用者用の乗場呼部６２とを備え、特定利用者用の乗場呼部６１は、特定乗場呼信号を送信するように構成され、一般利用者用の乗場呼部６２は、一般乗場呼信号を送信するように構成されている。本実施形態の乗場呼部６は、ボタンが押下されると行先方向及び登録階の情報を含んだ乗場呼信号を送信する。
【００３４】
乗場呼部６は、各階に少なくとも一つ設けられている。乗場呼部６は、特定利用者用の乗場呼部６１と一般利用者用の乗場呼部６２とが区別可能な態様で乗場に設けられている。本実施形態では、特定利用者用の乗場呼部６１は、一般利用者用の乗場呼部６２よりも低い位置に設けられている。本実施形態の特定利用者用の乗場呼部６１及び一般利用者用の乗場呼部６２は、ボタンによって構成されている。
【００３５】
特定利用者用の乗場呼部６１及び一般利用者用の乗場呼部６２のそれぞれは、最下階及び最上階を除いて、上昇を指示する上昇指示部と下降を指示する下降指示部とを有する。特定利用者用の乗場呼部６１及び一般利用者用の乗場呼部６２のそれぞれは、最下階においては上昇指示部を有し、最上階においては下降指示部を有する。本実施形態において、乗場呼信号に応答するとは、エレベータのかごが、所定階に設けられた乗場呼部６の上昇指示部及び下降指示部のうちの少なくとも一方が操作されて送信された乗場呼信号に基づいて、前記所定階まで移動して停止することを意味している。
【００３６】
制御部３は、エレベータの運行の制御を行うエレベータ制御部４と、エレベータの戸の開閉を駆動するかご制御部５と、を備える。
【００３７】
エレベータ制御部４は、エレベータの戸の戸閉動作中に時間を計測する時間計測部４１と、前記時間の計測開始から所定時間の間における戸閉信号の受信回数を計数する戸閉計数部４２と、前記戸閉計数部の計数結果に基づいて前記戸の開閉の判断をする戸開閉判断部４３と、乗降パターンと乗降時間とを関連付けて記憶する記憶部４４と、乗降時間が長時間であるか短時間であるかを判定する乗降時間判定部４５と、を有する。
【００３８】
時間計測部４１は、戸閉動作中に時間を計測するように構成されている。本実施形態の時間計測部４１は、戸閉動作中における所定の基準となる時点から時間を計測可能に、また、戸閉動作中以外における所定の基準となる時点から時間を計測可能に構成されている。本実施形態では、時間計測部４１は、戸閉動作中の時間計測として、エレベータの戸の戸閉動作中で時間計測していない状態で受信した戸閉信号を基準に時間を計測する。具体的には、時間計測部４１は、戸閉動作中における戸閉指示部２１に対する最初の登録があった時点を基準に時間計測するように構成され、また、戸閉動作中における先の時間計測の後に、戸閉指示部２１に対する最初の登録があった時点を基準に時間計測するように構成されている。
【００３９】
また、時間計測部４１は、戸閉動作中以外の時間計測として、エレベータの戸の戸開動作が完了した時点から時間計測するように構成されている。時間計測部４１は、時間の計測を開始したこと及び計測開始から所定時間経過したことを戸閉計数部４２に通知する。本実施形態の時間計測部４１は、タイマーである。
【００４０】
戸閉計数部４２は、エレベータの戸の戸閉動作中に戸閉信号の受信回数を計数する。戸閉計数部４２は、戸閉信号の計数結果を戸開閉判断部４３に送信する。
【００４１】
戸閉計数部４２は、時間計測部４１が時間の計測を開始してから所定時間の間における最初の戸閉信号を含めて、戸閉信号を受信した回数を計数する。本実施形態では、所定時間の計測は、エレベータの戸の戸閉動作中の最初の戸閉信号から開始し、戸閉計数部４２は、最初の戸閉信号を１回として、戸閉信号の受信回数の計数を開始する。また、本実施形態では、所定回数を１回と定めて、エレベータの戸の開閉を制御するようになっているが、詳しくは後述する。
【００４２】
より詳細に説明すると、戸閉計数部４２は、特定利用者用の乗場呼部６１の特定乗場呼信号又は特定利用者用の行先階登録部２３Ａの特定行先階信号の少なくとも一方を制御部３が受信し、該受信した信号に応答してエレベータのかごが所定階に停止したとき、エレベータの戸の戸閉動作中の戸閉信号の受信回数を計数する。また、戸閉計数部４２は、一般利用者用の乗場呼部６２の一般乗場呼信号と、一般利用者用の行先階登録部２３Ｂの一般行先階信号の両方を制御部３が受信し、該受信した信号に応答してエレベータのかごが所定階に停止したとき、エレベータの戸の戸閉動作中の戸閉信号の受信回数を計数する。また、戸閉計数部４２は、一般利用者用の乗場呼部６２の一般乗場呼信号及び一般利用者用の行先階登録部２３Ｂの一般行先階信号のうちの一方に応答してエレベータのかごが所定階に停止したとき、エレベータの戸の戸閉動作中の戸閉信号の受信回数の計数を開始しないものとなっている。
【００４３】
戸開閉判断部４３は、戸開とすべきか戸閉とすべきかを判断するように構成され、制御部３は、該戸開閉判断部４３の判断結果に基づいて、エレベータの戸の戸開制御又は戸閉制御を行う。具体的には、戸開閉判断部４３は、制御部３が行先階信号及び乗場呼信号の少なくとも一方の信号を受信し、該受信した信号に応答してエレベータが所定階に停止したときに、戸開と判断して戸開信号をかご制御部５へ送信するように構成されている。
【００４４】
また、戸開閉判断部４３は、かご操作部２から制御部３へ戸開信号又は戸閉信号が送信されたときに、戸開又は戸閉と判断して、戸開信号又は戸閉信号をかご制御部５へ送信するように構成されている。
【００４５】
より詳細に説明すると、戸開閉判断部４３は、制御部３が戸開指示部２２から戸開信号を受信すると、戸開と判断して戸開信号を送信する。戸開閉判断部４３は、制御部３が戸閉指示部２１から戸閉信号を受信すると、戸閉と判断して戸閉信号を送信する。また、戸開閉判断部４３は、制御部３が戸閉指示部２１から戸閉信号を受信すると、戸開と判断して戸開信号を送信するようにも構成されている。
【００４６】
制御部３が戸閉指示部２１から戸閉信号を受信して、戸開閉判断部４３が戸開と判断する場合について説明する。戸開閉判断部４３は、戸閉動作中の所定時間の間における戸閉信号の計数結果が所定回数以下のときは、戸開と判断して、かご制御部５に対して戸開信号を送信し、前記計数結果が所定回数よりも多いときは、戸閉と判断して、かご制御部５に対して戸閉信号を送信する。本実施形態の戸開閉判断部４３は、乗降時間判定部４５によってエレベータに対する乗降時間が長時間であると判定された場合、戸閉動作中の所定時間の間における戸閉信号の計数結果が所定回数以下のときは、戸開と判断して、かご制御部５に対して戸開信号を送信し、前記計数結果が所定回数よりも多いときは、戸閉と判断して、かご制御部５に対して戸閉信号を送信する。また、戸開閉判断部４３は、乗降時間判定部４５によってエレベータに対する乗降時間が短時間であると判定された場合、前記戸閉計数部の計数結果が１回以上であると（即ち、戸閉指示部２１から戸閉信号が少なくとも１回送信されると）戸閉と判断して、かご制御部５に対して戸閉信号を送信する。この場合、戸開閉判断部４３は、制御部３が受信した戸閉信号を戸開信号に変換することによって、戸開信号をかご制御部５に送信してもよく、制御部３が受信した戸閉信号を消去して、戸開信号を作成し、かご制御部５に送信してもよい。
【００４７】
戸開閉判断部４３は、戸開信号又は戸閉信号をかご制御部５へ送信するように構成されている。具体的には、戸開閉判断部４３は、戸開信号を後述する戸開動作部５１へ、戸閉信号を後述する戸閉動作部５２へそれぞれ送信するように構成されている。
【００４８】
記憶部４４は、乗場呼信号と行先階信号との受信組み合わせとエレベータに対する乗降時間の長短とを関連付けた情報を予め記憶する。図５に示すように、情報は、一般利用者用の乗場呼部６２が押下されることで一般乗場呼信号を受信したかどうかと、特定利用者用の乗場呼部６１が押下されることで特定乗場呼信号を受信したかどうかと、一般利用者用の行先階登録部２３Ｂが押下されることで一般行先階信号を受信したかどうかと、特定利用者用の行先階登録部２３Ａが押下されることで特定行先階信号を受信したかどうかとの組み合わせと、乗降時間とを関連付けたテーブルである。図５は、各信号について受信が有った場合、受信が無かった場合、及び受信の有無を問わない場合を区別して、各信号の受信の組み合わせをケース１〜５として表している。このテーブルは、特定利用者用の乗場呼部６１が押下されたときの特定乗場呼信号及び特定利用者用の行先階登録部２３Ａが押下されたときの特定行先階信号の少なくとも一方の信号を受信した場合を、乗降時間が長時間であるとして関連付けている。また、一般乗場呼信号と一般行先階信号との両方を受信した場合（受信した両方の信号に応答してエレベータのかごが所定階に停止した場合）を、乗降時間が長時間であるとして関連付けている。また、一般乗場呼信号及び一般行先階信号のうちの一方のみ受信している場合を、乗降時間が短時間であるとして関連付けている。
【００４９】
乗降時間判定部４５は、乗場呼部６又は行先階登録部２３が操作されることで受信した乗場呼信号又は行先階信号のうち、前記エレベータのかごが所定階に停止するために応答した乗場呼信号と行先階信号の一方又は両方と記憶部４４に予め記憶された情報とに基づいて、乗降時間が長時間であるか短時間であるかを判定する。
【００５０】
乗降時間判定部４５は、乗場呼信号及び行先階信号のうちの少なくとも一方の信号を制御部３が受信し、該受信した信号に応答してエレベータのかごが所定階に停止したときに、受信した信号の組み合わせに対応する乗降時間の長短を、記憶部４４の情報に基づいて判定する。具体的には、乗降時間判定部４５は、乗場呼信号及び行先階信号のうちの少なくとも一方の信号を制御部３が受信し、この信号に応答してエレベータのかごが所定階に停止したときに、テーブルを読み出し、受信した信号の組み合わせに当てはまるケースにおける乗降時間で、乗降時間の長短を判定する。例えば、制御部３が受信した信号が一般乗場呼信号のみであれば、テーブルでは、ケース１に該当するため、乗降時間判定部４５は、乗降時間が短時間であると判定する。
【００５１】
各ケース２〜５について説明する。制御部３が受信した信号が一般行先階信号のみであれば、テーブルでは、ケース２に該当するため、乗降時間判定部４５は、乗降時間が短時間であると判定する。制御部３が受信した信号に少なくとも特定乗場呼信号が含まれていれば、テーブルでは、ケース３に該当し、乗降時間判定部４５は、乗降時間が長時間であると判定する。同様に、制御部３が受信した信号に少なくとも特定行先階信号が含まれていれば、テーブルでは、ケース４に該当し、乗降時間判定部４５は、乗降時間が長時間であると判定する。制御部３が受信した信号が一般乗場呼信号と一般行先階信号であり、これらの信号が指定する階が一致し、且つ走行方向が一致している場合には、テーブルでは、ケース５に該当し、乗降時間判定部４５は、乗降時間が長時間であると判定する。例えば、エレベータのかごが１階にあって、一般利用者用の行先階登録部２３Ｂから５階の一般行先階信号が送信され、前記一般行先階信号に応答してエレベータのかごが１階から５階に走行する場合に、５階の一般利用者用の乗場呼部６２が操作されて一般乗場呼信号が送信されたとする。この場合、該一般乗場呼信号が、一般利用者用の乗場呼部６２の上昇指示部が操作されて送信されたものである場合には、エレベータのかごは、一般行先階信号及び一般乗場呼信号の両方に応答して５階に停止し、乗降時間判定部４５は、乗降時間が長時間であると判定する（ケース５）。これに対して、該一般乗場呼信号が、一般利用者用の乗場呼部６２の下降指示部が操作されて送信されたものである場合には、エレベータのかごは、該一般乗場呼信号に応答することなく、一般行先階信号のみに応答して５階に停止し、乗降時間判定部４５は、乗降時間が短時間であると判定する（ケース２）。このように、乗降時間判定部４５は、各階毎に、エレベータのかごが停止するために応答した乗場呼信号と行先階信号の一方又は両方と記憶部４４に予め記憶された情報とに基づいて、乗降時間が長時間であるか短時間であるかを判定する。
【００５２】
乗降時間判定部４５は、乗降時間の長短を判定したら、その停止している階におけるエレベータの戸の開閉制御を選択する。具体的には、乗降時間判定部４５は、乗降時間が長時間であると判定したら、後述する特別処理Ｓ１００を選択し、乗降時間が短時間であると判定したら、後述する一般処理ＳＳ１００を選択する。
【００５３】
かご制御部５は、エレベータの戸の戸開制御を行う戸開動作部５１と、エレベータの戸の戸閉制御を行う戸閉動作部５２とを有する。
【００５４】
戸開動作部５１は、戸開閉判断部４３からの戸開信号に基づいてエレベータの戸の戸開制御を行う。また、戸開動作部５１は、戸開閉判断部４３からの戸開信号の長さに応じて、エレベータの戸の戸開状態を継続させる。
【００５５】
戸閉動作部５２は、戸開閉判断部４３からの戸閉信号に基づいてエレベータの戸の戸閉動作を行う。
【００５６】
以下、本実施形態に係る制御システム１の動作について、図２〜図４を参照しつつ説明する。ここで、特別処理Ｓ１００とは、戸閉動作中の戸閉信号の受信回数に応じてエレベータの戸の開閉が制御されるフローであり、一般処理ＳＳ１００とは、戸閉動作中の戸閉信号の受信回数によらずエレベータの戸の開閉が制御される、一般的なフローである。
【００５７】
まず、図２に示すように、何れかの階で停止中のエレベータに対して、所定の階の乗場呼部６からの乗場呼信号(ステップＳＴ１)によって、エレベータの走行が開始する(ステップＳＴ２)。
【００５８】
エレベータが所定階に停止すると(ステップＳＴ３のＹＥＳ)、乗降時間判定部４５は、特定利用者用の乗場呼部６１の特定乗場呼信号又は特定利用者用の行先階登録部２３Ａの特定行先階信号の少なくとも一方に応答して所定階に停止した場合、又は一般利用者用の乗場呼部６２の一般乗場呼信号と、一般利用者用の行先階登録部２３Ｂの一般行先階信号の両方に応答して所定階に停止した（一般行先階信号により指定された階と一般乗場呼信号が発せられた階とが一致、且つ最上階及び最下階を除いてエレベータのかごの走行方向と一般乗場呼信号の呼び方向が一致）場合に、記憶部４４に記憶しているテーブルを用いて、乗場呼部６又は行先階登録部２３が操作されて受信した信号に対応する乗降時間を長時間であると判定して、フローを特別処理Ｓ１００へと進める(ステップＳＴ４のＹＥＳ)。乗降時間判定部４５は、特定利用者用の乗場呼部６１の特定乗場呼信号及び特定利用者用の行先階登録部２３Ａの特定行先階信号が無く、且つ一般利用者用の乗場呼部６２の一般乗場呼信号又は一般利用者用の行先階登録部２３Ｂの一般行先階信号の一方に応答して所定階に停止した場合、前記テーブルを用いて、乗場呼部６又は行先階登録部２３が操作されて受信した信号に対応する乗降時間を短時間であると判定して、フローを一般処理ＳＳ１００へと進める(ステップＳＴ４のＮＯ)。
【００５９】
制御部３は、特別処理Ｓ１００が完了するか又は一般処理ＳＳ１００が完了すると、全てのサービスが完了したかを判断する(ステップＳＴ５)。全てのサービスの完了とは、エレベータのかご操作部２からの行先階信号及び乗場呼部６からの乗場呼信号が無い状態で、かつエレベータのかご内に乗客がいない状態であり、エレベータが最後に応答して所定階に停止した状態をいう。全サービスが完了していない場合(かご操作部２からの行先階信号又は乗場呼部６からの乗場呼信号がある場合、ステップＳＴ５のＮＯ)には、ステップＳＴ２に戻って、エレベータのかごは、次の所定階に向けて走行を開始する。全サービスが完了している場合には(ステップＳＴ５のＹＥＳ)、ステップＳＴ１に戻って、エレベータのかごは、乗場呼部６からの乗場呼信号を待つことになる。
【００６０】
以下、特別処理Ｓ１００へ進むフローについて図３を参照しつつ説明する。
【００６１】
まず、特別処理Ｓ１００が開始すると、戸開閉判断部４３が戸開動作部５１へ戸開信号を送信し、戸開動作部５１は、エレベータの戸の戸閉状態から戸開動作を開始させ(ステップＳ１７)、戸開動作が完了する(ステップＳ１８)。そして、制御部３は、戸開状態における戸開信号又は戸閉信号受信の有無を判断する（ステップＳ１９）。
【００６２】
ステップＳ１９において、信号を受信したと判断されると、該信号が戸閉信号であるか否かが判断される（ステップＳ２３）。ステップＳ２３において、該信号が戸閉信号であると判断されると、戸開閉判断部４３は、戸閉信号を戸閉動作部５２へ送信する。ステップＳ２３において、該信号が戸閉信号でないと判断されると、再度、戸開状態における信号受信の有無の判断が行われる（ステップＳ１９）。
【００６３】
ステップＳ１９において、信号を受信していないと判断されると、フローは、ステップＳ２０へと進む。ステップＳ２０において、エレベータの戸の戸開動作完了から戸閉を開始させるまでの時間として設定された設定時間が経過したかが判断され、設定時間が経過したと判断されると(ステップＳ２０のＹＥＳ)、戸開閉判断部４３は、戸閉信号を戸閉動作部５２へ送信する。このように、戸開閉判断部４３は、信号が戸閉信号であると判断されるか、又は戸開動作完了から設定時間が経過すると、戸閉信号を戸閉動作部５２に送信し、戸閉動作が開始される(ステップＳ０)。
【００６４】
ステップＳ０において、戸閉動作部５２は、戸閉動作を開始させ、フローは、ステップＳ１へと進む。ステップＳ１において、制御部３は、戸閉動作中の戸開信号又は戸閉信号受信の有無を判断する。
【００６５】
ステップＳ１において、信号を受信したと判断されると、該信号が戸閉信号であるか否かが判断される（ステップＳ３）。ステップＳ３において、該信号が戸閉信号であると判断されると、フローは、ステップＳ２へと進む。ステップＳ３において、該信号が戸閉信号でないと判断されると、戸開閉判断部４３は、戸開信号を戸開動作部５１に送信すると共に、フローは、ステップＳ１７へ戻り、戸開動作部５１は、戸開動作を開始させる。
【００６６】
そして、上記のステップＳ１７からステップＳ０へ至るフローに沿って、戸閉動作が開始される(ステップＳ０)。このように、戸閉動作中に受信した信号が戸閉信号でないと判断されると(ステップＳ３のＮＯ)、フローは、ステップＳ３からステップＳ１７へ戻る（第５ループＲ５、図３参照)。
【００６７】
ステップＳ１において、信号を受信していないと判断されると、フローは、ステップＳ４へと進む。そして、戸閉が完了するまで、信号受信の有無が判断される（ステップＳ４のＮＯからステップＳ１へ戻る第２ループＲ２）。最終的に戸閉が完了し（ステップＳ４のＹＥＳ）、特別処理Ｓ１００が完了する(ステップＳ１４)。
【００６８】
ステップＳ１に戻って説明する。ステップＳ１において、信号を受信したと判断され、ステップＳ３において、該信号が戸閉信号であると判断されると、フローは、ステップＳ２へと進む。ステップＳ２において、戸閉信号の受信回数として１が設定され（Ｃ＝１）、フローは、ステップＳ１３へと進む。ステップＳ１３において、タイマーが起動され、時間計測部４１は、１回目の戸閉信号受信時からの時間の計測を開始し、戸閉計数部４２は、戸閉信号の受信回数の計数を開始する。フローは、ステップＳ６へと進み、この時点で戸閉動作中である場合には（ステップＳ６のＮＯ）、フローは、ステップＳ７へと進む。
【００６９】
ステップＳ７において、１回目の戸閉信号から所定時間経過したかが判断される。本実施形態では、所定時間として、１又は２秒が予め設定されている。
【００７０】
フローがステップＳ１からステップＳ３、ステップＳ２、ステップＳ１３及び、ステップＳ６を経由してステップＳ７まで進む時間は非常に短いため、ステップＳ１において信号受信の有無が判断され、ステップＳ３において該信号が戸閉信号であると判断されると、フローは、即座にステップＳ７に至る。そのため、戸閉動作中において、フローが最初にステップＳ７へ進んだ時点では、１回目の戸閉信号から所定時間経過していない状態となる。そのため、最初のステップＳ７においては、所定時間が未経過であると判断され（ステップＳ７のＮＯ）、フローは、ステップＳ９へと進む。
【００７１】
まず、１回目の戸閉信号から所定時間が未経過である場合のフローについて説明する。ステップＳ９において、制御部３は、戸開信号又は戸閉信号受信の有無を判断する。
【００７２】
ステップＳ９において、信号を受信したと判断されると、該信号が戸閉信号であるか否かが判断される（ステップＳ１０）。これに対して、ステップＳ９において、信号を受信していないと判断されると、戸閉信号の受信回数として１が設定された状態で（Ｃ＝１）、フローは、ステップＳ６へ戻る（第３ループＲ３）。
【００７３】
ステップＳ１０において、該信号が戸閉信号であると判断されると、フローは、ステップＳ２２へと進む。ステップＳ２２において、１回目の戸閉信号から所定時間経過したか否かが判断され、所定時間が経過していないと判断されると（ステップＳ２２のＮＯ）、フローは、ステップＳ１１へと進み、戸閉信号の受信回数に１が加算される（Ｃ＝１＋１）。そして、フローは、ステップＳ６へ戻る（第８ループＲ８）。ステップＳ２２において、所定時間が経過したと判断されると、戸閉信号の受信回数に１が加算されることなく、フローは、ステップＳ６へ戻る（第９ループＲ９）。
【００７４】
ステップＳ１０において、信号が戸閉信号でないと判断されると、フローは、ステップＳ１７へ戻り、戸開動作部５１は、戸開動作を開始させる。そして、上記のステップＳ１７からステップＳ０へ至るフローに沿って、戸閉動作が開始される(ステップＳ０)。このように、１回目の戸閉信号の受信後に受信した信号が戸閉信号でない場合（即ち、戸開信号である場合、ステップＳ１０のＮＯ)、フローは、ステップＳ１０からステップＳ１７へ戻る（第６ループＲ６、図３参照）。
【００７５】
ステップＳ９において、信号を受信したか否かが判断された後、ステップＳ６に戻った場合の、ステップＳ６以降のフローについて説明する。ステップＳ９、ステップＳ２２、又はステップＳ１１からステップＳ６に戻った時点で戸閉動作中である場合には（ステップＳ６のＮＯ）、フローは、再度、ステップＳ７へと進む。そして、ステップＳ７において、所定時間が経過したと判断されるまで、フローは、ステップＳ７からステップＳ９へと進み、信号受信の有無が判断される（ステップＳ９）。
【００７６】
ステップＳ９以降の繰り返しの処理については上記と同様である。
【００７７】
これに対して、ステップＳ９、ステップＳ２２、又はステップＳ１１からステップＳ６に戻った時点で戸閉が完了している場合には（ステップＳ６のＹＥＳ）、ステップＳ２１においてタイマーがストップし、特別処理Ｓ１００が完了する(ステップＳ１４)。
【００７８】
次に、戸閉動作中の１回目の戸閉信号から所定時間が経過した場合のフローについて説明する。フローが、第３ループＲ３、又は第８ループＲ８を回っている間に所定時間が経過すると（ステップＳ７のＹＥＳ）、フローは、ステップＳ８へと進む。ステップＳ８において、戸閉信号の受信回数が所定回数以下であるか否か（Ｃ≦所定回数であるか否か）が判断される。本実施形態では、所定回数として１が設定されている。そのため、所定時間の間に複数の戸閉信号を受信していない場合には、ステップＳ８において、戸閉信号の受信回数が１（Ｃ＝１）であるとして、戸閉信号の受信回数が所定回数以下であると判断される（ステップＳ８のＹＥＳ）。この場合、戸開閉判断部４３は、戸開すべきと判断し、戸開信号を戸開動作部５１へ送信する。そして、フローは、ステップＳ１７へ戻り、戸開動作部５１は、戸開閉判断部４３からの戸開信号に基づいて戸開動作を開始させる。
【００７９】
そして、上記のステップＳ１７からステップＳ０へ至るフローに沿って、戸閉動作が開始される(ステップＳ０)。このように、所定時間の間に複数の戸閉信号を受信していない場合には(ステップＳ８のＹＥＳ)、フローは、ステップＳ８からステップＳ１７へ戻る（第７ループＲ７、図３参照)。
【００８０】
これに対して、所定時間の間に複数の戸閉信号を受信した場合には、ステップＳ８において、戸閉信号の受信回数が所定回数よりも多いと判断される（ステップＳ８のＮＯ）。この場合、戸開閉判断部４３は、戸閉すべきと判断し、戸閉信号を戸閉動作部５２へ送信する。その結果、戸閉動作が継続され、フローは、ステップＳ９へと進む。ステップＳ９において、信号を受信したと判断され、且つ該信号が戸閉信号であると判断されても（ステップＳ１０のＹＥＳ）、戸閉動作中の１回目の戸閉信号から所定時間が経過しているため（ステップＳ２２のＹＥＳ）、戸閉信号の受信回数が計数されることなく、フローは、ステップＳ２２からステップＳ６へ戻る（第９ループＲ９）。最終的に戸閉が完了（ステップＳ６のＹＥＳ）し、特別処理Ｓ１００が完了する(ステップＳ１４)。
【００８１】
以下、一般処理ＳＳ１００へ進むフローについて図４を参照しつつ説明する。
【００８２】
まず、一般処理ＳＳ１００が開始すると、戸開閉判断部４３が戸開動作部５１へ戸開信号を送信し、戸開動作部５１は、エレベータの戸の戸閉状態から戸開動作を開始させ(ステップＳＳ１０)、戸開動作が完了する(ステップＳＳ１１)。そして、制御部３は、戸開状態における戸開信号又は戸閉信号受信の有無を判断する（ステップＳＳ１２）。
【００８３】
ステップＳＳ１２において、信号を受信したと判断されると、該信号が戸閉信号であるか否かが判断される（ステップＳＳ１５）。ステップＳＳ１５において、該信号が戸閉信号であると判断されると、戸開閉判断部４３は、戸閉信号を戸閉動作部５２へ送信する。ステップＳＳ１５において、該信号が戸閉信号でないと判断されると、再度、戸開状態における信号受信の有無の判断が行われる（ステップＳＳ１２）。
【００８４】
ステップＳＳ１２において、信号を受信していないと判断されると、フローは、ステップＳＳ１３へと進む。ステップＳＳ１３において、エレベータの戸の戸開動作完了から戸閉を開始させるまでの時間として設定された設定時間が経過したかが判断され、設定時間が経過したと判断されると（ステップＳＳ１３のＹＥＳ）、戸開閉判断部４３は、戸閉信号を戸閉動作部５２へ送信する。このように、戸開閉判断部４３は、信号が戸閉信号であると判断されるか、又は戸開動作完了から設定時間が経過すると、戸閉信号を戸閉動作部５２に送信し、戸閉動作が開始される(ステップＳＳ０)。
【００８５】
ステップＳＳ０において、戸閉動作部５２は、戸閉動作を開始させ、フローは、ステップＳＳ３へと進む。ステップＳＳ３において、制御部３は、戸閉動作中の戸開信号又は戸閉信号受信の有無を判断する。
【００８６】
ステップＳＳ３において、信号を受信したと判断されると、該信号が戸閉信号であるか否かが判断される（ステップＳＳ１６）。ステップＳＳ１６において、該信号が戸閉信号であると判断されると、フローは、ステップＳＳ４へと進む。ステップＳＳ１６において、該信号が戸閉信号でないと判断されると、戸開閉判断部４３は、戸開信号を戸開動作部５１に送信すると共に、フローは、ステップＳＳ１０へ戻り、戸開動作部５１は、戸開動作を開始させる。そして、上記のＳＳ１０からＳＳ０へ至るフローに沿って、戸閉動作が開始される(ステップＳＳ０)。このように、戸閉動作中に受信した信号が戸閉信号でないと判断されると(ステップＳＳ１６のＮＯ)、フローは、ステップＳＳ１６からステップＳＳ１０へ戻る（第４ループＲ４）。
【００８７】
ステップＳＳ３において、信号を受信していないと判断されると、フローは、ステップＳＳ４へと進む。そして、戸閉が完了するまで、信号受信の有無が判断される（ステップＳＳ４のＮＯからステップＳＳ３へ戻る第１ループＲ１）。最終的に戸閉が完了し（ステップＳＳ４のＹＥＳ）、一般処理ＳＳ１００が完了する(ステップＳＳ１４)。
【００８８】
以上のように、本実施形態に係るエレベータの戸開閉制御システム１は、エレベータの戸の開閉を制御する制御部３と、前記エレベータのかご内に設置され、前記戸の戸閉信号を前記制御部３に送信する戸閉指示部２１を有するかご操作部２と、を備えたエレベータの戸開閉制御システム１において、前記制御部３は、前記戸の戸閉動作中に時間を計測する時間計測部４１と、前記時間計測部４１の計測開始から所定時間の間における戸閉信号の受信回数を計数する戸閉計数部４２と、前記戸閉計数部４２の計数結果に基づいて前記戸の開閉の判断をする戸開閉判断部４３と、を備え、且つ前記戸閉計数部４２の計数結果が所定回数以下のときは、前記戸開閉判断部４３が戸開と判断し、前記戸を戸開制御し、前記戸閉計数部４２の計数結果が所定回数よりも多いときは、前記戸開閉判断部４３が戸閉と判断し、戸閉動作を継続する。
【００８９】
かかる構成によれば、時間計測部４１は、エレベータの戸の戸閉動作中に時間を計測し、戸閉計数部４２は、時間計測部４１の計測開始から所定時間の間に受信した戸閉信号の回数を計数する。そして、戸開閉判断部４３は、計数結果に基づいてエレベータの戸の開閉を判断し、その判断結果に基づいて制御部３が戸の開閉を制御する。具体的には、戸閉動作中の所定時間の間における戸閉信号の受信回数が所定回数以下のときには、戸開閉判断部４３が戸開と判断すると、制御部３が戸を戸開制御する。これに対して、戸閉動作中における戸閉信号の受信回数が所定回数よりも多いときには、戸開閉判断部４３が戸閉と判断すると、制御部３が戸閉動作を継続する。
【００９０】
従って、エレベータの利用者が、戸閉動作中の所定時間の間に戸開操作と誤って戸閉操作を行った回数が所定回数以下の場合には、戸閉動作を戸開動作に切り替えることができ、また、早く戸閉させようとして戸閉操作を行った回数が所定回数より多い場合には、戸閉動作を継続することができる。
【００９１】
本実施形態において、エレベータの乗場に設置され、前記乗場に前記エレベータのかごを移動させる乗場呼信号を前記制御部３に送信する乗場呼部６を備え、前記かご操作部２は、登録された行先階の行先階信号を前記制御部３に送信する行先階登録部２３を有し、前記制御部３は、乗場呼信号と行先階信号との受信組み合わせと前記エレベータに対する乗降時間の長短とを関連付けた情報を予め記憶する記憶部４４と、前記乗場呼部６又は前記行先階登録部２３が操作されることで受信した乗場呼信号又は行先階信号のうち、前記エレベータのかごが所定階に停止するために応答した乗場呼信号と行先階信号の一方又は両方と前記記憶部４４に予め記憶された情報とに基づいて、乗降時間が長時間であるか短時間であるかを判定する乗降時間判定部４５と、を有し、前記乗降時間判定部４５によって前記乗降時間が長時間であると判定された場合、前記エレベータのかごが所定階に停止したときに、前記戸閉計数部４２の計数結果が所定回数以下のときは、前記戸開閉判断部４３が戸開と判断し、前記戸を戸開制御し、前記戸閉計数部４２の計数結果が所定回数よりも多いときは、前記戸開閉判断部４３が戸閉と判断し、戸閉動作を継続し、前記乗降時間判定部４５によって前記乗降時間が短時間であると判定された場合、前記エレベータのかごが所定階に停止したときに、前記戸閉計数部４２の計数結果が１回以上のときは、前記戸開閉判断部４３が戸閉と判断し、戸閉動作を継続する。
【００９２】
乗降時間を長時間要する場合には、エレベータの戸を長時間開放する必要があることから、戸閉動作が開始されたときに戸開に切り替えることも必要となり、誤操作が起こり得る。一方、乗降時間が短時間でよい場合には、戸の開放を延長させる必要もないため、誤操作が起こり難い。そこで、上記エレベータの戸開閉制御システム１によれば、乗降時間が長時間であると判定された場合には、戸閉信号の受信回数に応じて戸の開閉が制御され、乗降時間が短時間であると判定された場合には、戸閉信号の受信回数によらず、戸閉動作が継続されるため、乗降時間が長時間となる場合と短時間となる場合とで、エレベータの戸に対して異なった開閉制御を行うことができ、利用者のエレベータに対する乗降状況に応じて、エレベータの戸の開閉制御を行うことができる。
【００９３】
本実施形態において、前記かご操作部２は、特定利用者用に設置された特定利用者用の行先階登録部２３Ａであって、登録すべき行先階に関する特定行先階信号を前記制御部３に送信する特定利用者用の行先階登録部２３Ａを有し、前記乗場呼部６は、特定利用者用に設置された特定利用者用の乗場呼部６１であって、前記乗場にエレベータのかごを移動させる特定乗場呼信号を前記制御部３に送信する特定利用者用の乗場呼部６１を有し、前記乗降時間判定部４５は、前記特定行先階信号又は前記特定乗場呼信号の少なくとも一方を受信し、前記エレベータのかごが該受信した信号に応答して所定階に停止したときに、前記乗降時間が長時間であると判定する。
【００９４】
このようにすれば、特定利用者がエレベータを利用する場合に、エレベータの戸の戸閉動作中の戸閉信号の受信回数に応じて戸の開閉が制御される。そのため、かかる構成のエレベータの戸開閉制御システム１は、乗降に時間を要するケースで戸閉動作中に誤操作があっても、エレベータの戸の戸開動作を開始させることができる。
【００９５】
本実施形態において、前記かご操作部２は、一般利用者用に設置された一般利用者用の行先階登録部２３Ｂであって、登録すべき行先階に関する一般行先階信号を前記制御部３に送信する一般利用者用の行先階登録部２３Ｂを有し、前記乗場呼部６は、一般利用者用に設置された一般利用者用の乗場呼部６２であって、前記乗場にエレベータのかごを移動させる一般乗場呼信号を前記制御部３に送信する一般利用者用の乗場呼部６２を有し、前記乗降時間判定部４５は、前記一般行先階信号及び前記一般乗場呼信号の両方を受信し、前記エレベータのかごが前記受信した両方の信号に応答して所定階に停止したときに、前記乗降時間が長時間であると判定し、前記一般行先階信号又は前記一般乗場呼信号の一方を受信し、前記エレベータのかごが前記受信した一方の信号に応答して所定階に停止したときに、前記乗降時間が短時間であると判定する。
【００９６】
このようにすれば、所定階で、エレベータから降りる一般利用者と乗場からエレベータに乗る一般利用者とが存在する場合に、乗降時間が長時間となるとして、エレベータの戸の戸閉動作中の戸閉信号の受信回数に応じて戸の開閉が制御される。また、所定階で、エレベータから降りる一般利用者のみ、又は乗場からエレベータに乗る一般利用者のみ存在する場合には、乗降時間が短時間であるとして、戸閉信号の受信回数によらず、戸閉動作が継続される。そのため、かかる構成のエレベータの戸開閉制御システム１は、一般利用者がエレベータを利用する場合に、乗降に時間を要するケースと要さないケースとを区別してエレベータの戸の開閉を制御することができる。
【００９７】
本実施形態において、前記時間の計測は、前記戸の戸閉動作中で時間計測していない状態で受信した戸閉信号の受信時から開始され、前記戸閉計数部４２は、前記時間計測していない状態で受信した戸閉信号を含めて前記所定時間の間における戸閉信号の受信回数を計数する。
【００９８】
かかる構成によれば、戸閉動作中における最初の戸閉信号の受信時から、所定時間内における戸閉信号の受信回数に応じて、戸開又は戸閉の判断を行うことができるだけでなく、戸閉完了までに、戸閉動作中で時間計測していない状態で受信した戸閉信号（最初の戸閉信号以外の戸閉信号）によっても、所定時間内における戸閉信号の受信回数に応じて、戸開又は戸閉の判断を行うことができる。また、戸閉計数部４２は、戸閉動作中における所定時間の間だけ戸閉信号を計数すればよいものとなっている。更に、かかる構成によれば、戸閉信号の受信開始と同時に時間の計測が開始されるため、制御を簡単にすることができる。
【００９９】
本実施形態において、前記所定時間は数秒以内である。このようにすれば、エレベータの戸が戸開状態から戸閉状態となるまでの限られた時間の間に、戸閉動作中の戸閉信号の受信回数に応じてエレベータの戸の開閉が制御される。
【０１００】
本実施形態において、前記所定回数は１回である。かかる構成によれば、戸閉動作中における所定時間の間に戸閉信号が１回である場合には、エレベータの戸の戸開動作が開始され、複数回である場合には、エレベータの戸の戸閉動作が継続される。通常、利用者は、戸閉動作中に戸を開けようとして戸開操作を一度行うことから、誤って戸閉操作を行った場合でも、戸閉指示部２１から制御部３に対して戸閉信号が１回送信されると考えられる。そのため、かかる構成によれば、利用者のより現実的な行動に即して、エレベータの戸の開閉が制御されることとなる。
【０１０１】
上記実施形態では、戸閉計数部４２が、戸閉動作中の最初の戸閉信号の受信後の所定時間の間に複数の戸閉信号があったと判断すると、戸閉が完了するまでの間に、戸閉信号を何度受信しても、戸閉動作が継続する。そのため、エレベータの戸は、利用者の意図したとおりに戸閉動作を継続する。従って、早く戸閉を完了させたいという利用者の焦りから起こる行動に対して、矛盾を生じさせることがない。このように、本実施形態に係る制御システム１は、利用者に対して、不快感を与えることを防止することができる。
【０１０２】
上記実施形態では、戸閉動作中の何れの時点で戸開信号が送信されたとしても、必ず戸開動作が開始することとなる。従って、戸閉動作中に戸開信号が送信された場合に、エレベータの戸に利用者が挟まれるのを防止することができる。
【０１０３】
尚、本発明の制御システム１は、上記実施形態に限定されるものではなく、本発明の要旨を逸脱しない範囲内において種々変更を加え得ることは勿論である。
【０１０４】
上記実施形態では、特に言及しなかったが、図５に示す、エレベータの乗降時間が短時間であると判定されるケース１及びケース２は、乗場及びかご内の一方から一般利用者が乗降するケースであると考えられるため、戸閉動作中に誤操作が起こり難く、仮に誤操作が起こっても問題なく対処可能であると想定される。
【０１０５】
上記実施形態では、乗降時間判定部４５は、制御部３が受信した信号に応答してエレベータのかごが所定階に停止したときに、乗降時間の長短を判定する場合について説明したが、これに限定されるものではない。乗降時間判定部４５は、エレベータの走行中においても、乗降時間の長短を判定してもよい。
【０１０６】
また、上記実施形態では、特に言及しなかったが、一般利用者用の行先階登録部２３Ｂ及び一般利用者用の乗場呼部６２の双方から信号が送信され、一般行先階信号により指定された階と一般乗場呼信号が発せられた階（以下、それぞれの階を「行先階」とする）とが一致している場合でも、エレベータの走行方向と、一般利用者用の乗場呼部６２の一般乗場呼信号における行先方向が異なっている場合には、フローは、一般処理ＳＳ１００へと進む。つまり、一般行先階信号及び一般乗場呼信号の双方における行先階と行先方向とが一致した場合には、特別処理Ｓ１００へと進み、行先階が一致していても行先方向が異なる場合には、一般処理ＳＳ１００へと進む。例えば、最上階と最下階とを除く階において、エレベータが１階から上昇する際に、５階の一般利用者用の乗場呼部６２から送信された一般乗場呼信号に下降信号が含まれ、エレベータのかご内において目的階として５階及び７階が入力されたケースでは、５階では一般利用者の降車のみであるため（即ち、利用者は乗場からエレベータに乗り込まない）、乗降時間は短時間となると考えられる。ここで、最上階と最下階とを除く階としたのは、行先階が一致した階が最上階又は最下階であるときは、必ずエレベータに対する乗降があり、乗降時間は長時間となると考えられるからである。
【０１０７】
上記実施形態では特に言及しなかったが、エレベータのかごが所定階に停止するために応答した信号に基づいて、エレベータの戸の戸開が完了してから戸閉が開始されるまでの時間（例えば、図３及び図７のステップＳ２４におけるタイマースタートからステップＳ２５におけるタイマーストップまでの時間、図４のステップＳＳ１７におけるタイマースタートからステップＳＳ１８におけるタイマーストップまでの時間）が異なるように設定されていてもよい。具体的には、エレベータのかごが所定階に停止するために応答した信号に、特定乗場呼信号及び特定行先階信号の少なくとも一方が含まれる場合には、エレベータに対する乗降に時間を要するものと考えられるため、一般乗場呼信号又は一般行先階信号のみを受信して所定階に停止したときよりもエレベータの戸の戸開が完了してから戸閉が開始されるまでの時間が長く設定されていてもよい。
【０１０８】
上記実施形態では特に言及しなかったが、戸開閉判断部４３は、戸開時間を変化させる信号をかご制御部５に送信してもよい。例えば、戸開閉判断部４３が、エレベータの停止中に特定利用者が利用する戸開指示部２２Ａから戸開信号があったか、又は特定利用者用の乗場呼部６１の特定乗場呼信号があったと判断すると、戸開動作部５１に対して、戸開時間を通常より長くする旨の信号を送信し、戸を通常より長い時間戸開させてもよい。これにより、乗降時間が長時間となる場合でも、安全に利用者を乗降させることができる。
【０１０９】
上記実施形態では、特に言及しなかったが、かご制御部５は、図６に示すように、エレベータの戸の戸閉動作を所定時間の間停止させる戸閉動作停止部５３を備え、戸閉動作停止部５３は、戸閉動作中における最初の戸閉信号から所定時間の間、エレベータの戸の戸閉動作を停止させるようにしてもよい。このようにすれば、最初の戸閉信号から所定時間の間エレベータの戸の戸閉動作が停止するため、該所定時間の間に利用者の乗降があっても、利用者がエレベータの戸に挟まれるのを防止することができる。
【０１１０】
具体的には、図７に示すように、ステップＳ１３において、タイマーが起動された後、フローは、ステップＳ１５へと進む。ステップＳ１５において、戸閉動作停止部５３は、戸開閉判断部４３から戸閉動作を所定時間の間停止させることを指示する信号を受信して、戸閉動作を所定時間の間停止させる。
【０１１１】
また、ステップＳ７において、戸閉動作中における最初の戸閉指示から所定時間経過したと判断されると、ステップＳ１６において、戸閉動作停止部５３は、戸閉動作の停止を解除し、戸閉動作を再開させる。
【０１１２】
また、この場合、図７に示すように、ステップＳ３において、戸閉動作中に受信した信号が戸閉信号であると判断された場合、ステップＳ２において、１回目の戸閉信号があったことを意味するカウンター値に０が設定（Ｃ＝０）されるようにしてもよい。そして、所定時間の間に戸閉信号を更に受信したと判断されると（ステップＳ１０のＹＥＳ）、ステップＳ１１において、所定時間の間に複数の戸閉信号を受信したことを意味するカウンター値に１が設定（Ｃ＝１）されるようにし、ステップＳ８において、カウンター値が０であるか否かが判断されるようにしてもよい。その他のフローについては、上記実施形態と共通しているため、説明は割愛する。
【０１１３】
上記実施形態では、特定利用者又は一般利用者による利用を識別して、フローを特別処理Ｓ１００又は一般処理ＳＳ１００へ進めるかを決定することを前提としたが、これに限定されるものではない。本発明に係る制御システム１は、特定利用者又は一般利用者による利用に関わらず、特定利用者及び一般利用者による利用のパターンの全てにおいて（例えば図５のケース１〜５の全て）、フローを特別処理Ｓ１００へ進めるものであってもよい。また、特定のケースにおいてのみ、フローを特別処理Ｓ１００へ進めるものであってもよい。
【０１１４】
上記実施形態では、特に言及しなかったが、戸開動作中に戸閉操作によって戸が全開する前に戸閉動作を行うエレベータにおいて、戸閉計数部４２は、戸開動作中の戸閉信号を無視するように構成されていてもよい。このようにすれば、戸開動作中に誤って戸閉操作がされた場合に、戸開動作が戸閉動作に反転するのを防止することができる。そのため、戸が全開すると認識して乗降する利用者が、エレベータの戸の間に挟まれるのを防止することができる。
【０１１５】
上記実施形態では、時間の計測は、エレベータの戸の戸閉動作中で時間計測していない状態で受信した戸閉信号の受信時から開始される場合について説明したが、これに限定されるものではない。所定時間は、戸閉動作中におけるいずれの時点から開始されてもよい。例えば、所定時間の計測は、エレベータの戸の戸閉動作の開始時点から開始されてもよい。また、所定時間の計測は、エレベータが所定階に停止した時点から開始されてもよい。
【０１１６】
上記実施形態では、所定回数が１回である場合について説明したが、これに限定されるものではない。所定回数は複数回であってもよく、自由に設定することができる。例えば、所定回数として３回を設定した場合に、所定時間の間における戸閉信号の受信回数が３回以下であると、エレベータの戸の戸開動作が開始され、所定時間の間における戸閉信号の受信回数が４回以上であると、戸閉動作が継続されてもよい。
【０１１７】
また、所定回数とは、エレベータの戸が戸閉を開始してから戸閉が完了するまでの時間の間に、利用者が現実的に戸閉操作を行うことができる回数に応じた戸閉信号の最大受信回数以下の回数を意味する。
【０１１８】
上記実施形態では、かご操作部２がボタンで構成されている場合について説明したが、これに限定されるものではない。かご操作部２は、タッチパネル、センサー等のその他の手段によって構成されていてもよい。
【０１１９】
エレベータの戸の開閉は、戸閉信号の時間的長短を考慮して制御することができる。例えば、エレベータの戸が戸閉動作を開始してから戸閉信号が送信された場合であって、この戸閉信号の時間的長さが標準的な時間（通常の戸閉操作の際の時間）よりも長い場合に、戸開閉判断部４３は、かご制御部５に戸開信号を送信してもよい。このとき、戸開閉判断部４３は、戸閉信号の時間的長さが標準的な時間よりも長い場合であっても、該戸閉信号が、エレベータの戸の戸閉動作の開始前に送信されたものである場合には、かご制御部５に対して、戸閉信号を送信することもできる。
【符号の説明】
【０１２０】
１…制御システム、２…かご操作部、２Ａ…特定利用者用のかご操作部、２Ｂ…一般利用者用のかご操作部、２１，２１Ａ，２１Ｂ…戸閉指示部、２２，２２Ａ，２２Ｂ…戸開指示部、２３，２３Ａ,２３Ｂ…行先階登録部、３…制御部、４…エレベータ制御部、４１…時間計測部、４２…戸閉計数部、４３…戸開閉判断部、４４…記憶部、４５…乗降時間判定部、５…かご制御部、５１…戸開動作部、５２…戸閉動作部、５３…戸閉動作停止部、６…乗場呼部、６１…特定利用者用の乗場呼部、６２…一般利用者用の乗場呼部、Ｒ１…第１ループ、Ｒ２…第２ループ、Ｒ３…第３ループ、Ｒ４…第４ループ、Ｒ５…第５ループ、Ｒ６…第６ループ、Ｒ７…第７ループ、Ｒ８…第８ループ、Ｒ９…第９ループ
【図１】
0006432841.tif 000002
【図２】
0006432841.tif 000003
【図３】
0006432841.tif 000004
【図４】
0006432841.tif 000005
【図５】
0006432841.tif 000006
【図６】
0006432841.tif 000007
【図７】
0006432841.tif 000008